(57)【特許請求の範囲】
【請求項１】
カラオケ曲の演奏毎にユニークな電話番号を割り当てる手段と、
カラオケ曲毎に割り当てられたユニークな電話番号を通知する通知手段と、
電話による採点投票を受け付ける受付手段と、
電話の採点投票を前記ユニークな電話番号毎に集計する手段と、
電話の採点投票を集計した電話採点結果を送信する手段と、
を備えた集計センタ装置と、
カラオケ曲の演奏前にその曲に割り当てられたユニークな電話番号を前記集計センタ装置から取得する取得手段と、
前記取得したユニークな電話番号を表示する表示手段と、
カラオケ曲の演奏に合わせて歌唱された歌唱音声を採点する採点手段と、
前記電話採点結果を受け取る評価受付手段と、
前記採点手段が採点した採点結果と前記評価受付手段が受け取った電話採点結果とを集計して総合評価を割り出し、これを前記表示手段に表示させる集計手段と、
を備えたカラオケ装置と、
を含み、
前記カラオケ装置の取得手段は、前記カラオケ曲に割り当てられたユニークな電話番号の取得時に、前記カラオケ曲の演奏時間を送信する手段であり、
前記集計センタ装置は、前記取得手段が送信した前記カラオケ曲の演奏時間に基づいて、そのカラオケ曲に割り当てられた電話番号の受け付けを締切る時間を設定する手段を備えたカラオケシステム。
【請求項２】
前記集計センタ装置の受付手段は、前記カラオケ曲の演奏中に、そのカラオケ曲に割り当てられた電話番号の呼び出しを電話による採点投票として受け付ける手段である請求項１に記載のカラオケシステム。
【請求項３】
前記カラオケ装置は、カラオケ曲の演奏が終了すると、その旨を前記集計センタ装置に通知する手段を備え、
前記カラオケ装置の表示手段は、前記カラオケ曲の演奏が終了すると前記取得したユニークな電話番号を表示する手段であり、
前記集計センタ装置の受付手段は、前記カラオケ曲の演奏が終了した後の一定時間に、そのカラオケ曲に割り当てられた電話番号の呼び出しに応答後に受け付ける得点入力を電話による採点投票として受け付ける手段である請求項１に記載のカラオケシステム。
【発明の詳細な説明】
【０００１】
【発明の属する技術分野】
この発明は、歌唱者と一緒にカラオケボックスや飲食店などにいる顧客が、歌唱の採点に参加できるカラオケシステムに関する。
【０００２】
【発明が解決しようとする課題】
カラオケ装置において、カラオケ曲を演奏するとともに、その歌唱を採点する機能を備えたものがあった。この採点機能は、歌唱者の歌唱音声を取り込んでその音量や周波数を検出し、これをカラオケ曲の曲データとともに記憶されているリファレンスデータ（たとえばガイドメロディトラックのデータ）と比較することによってその歌唱の正確さを評価して点数化するものであった。
【０００３】
このように、従来のカラオケ装置の採点機能は、客観的な評価ではあるが、聴衆が実際に聴いて感じる巧拙の印象とは異なる場合が多かった。また、このような採点機能はカラオケ装置が自分で行うものであり、聴衆がその採点評価に参加できるものではなかった。
【０００４】
この発明は、カラオケボックス等で歌唱者の歌唱を聴いている聴衆が歌唱の評価に参加することのできるカラオケシステムを提供することを目的とする。
【０００５】
【課題を解決するための手段】
請求項１の発明は、カラオケ曲の演奏毎にユニークな電話番号を割り当てる手段と、
カラオケ曲毎に割り当てられたユニークな電話番号を通知する通知手段と、
電話による採点投票を受け付ける受付手段と、
電話の採点投票を前記ユニークな電話番号毎に集計する手段と、
電話の採点投票を集計した電話採点結果を送信する手段と、
を備えた集計センタ装置と、
カラオケ曲の演奏前にその曲に割り当てられたユニークな電話番号を前記集計センタ装置から取得する取得手段と、
前記取得したユニークな電話番号を表示する表示手段と、
カラオケ曲の演奏に合わせて歌唱された歌唱音声を採点する採点手段と、
前記電話採点結果を受け取る評価受付手段と、
前記採点手段が採点した採点結果と前記評価受付手段が受け取った電話採点結果とを集計して総合評価を割り出し、これを前記表示手段に表示させる集計手段と、
を備えたカラオケ装置と、を含み、
前記カラオケ装置の取得手段は、前記カラオケ曲に割り当てられたユニークな電話番号の取得時に、前記カラオケ曲の演奏時間を送信する手段であり、
前記集計センタ装置は、前記取得手段が送信した前記カラオケ曲の演奏時間に基づいて、そのカラオケ曲に割り当てられた電話番号の受け付けを締切る時間を設定する手段を備えたことを特徴とする。
【０００６】
請求項２の発明は、前記集計センタ装置の受付手段は、前記カラオケ曲の演奏中に、そのカラオケ曲に割り当てられた電話番号の呼び出しを電話による採点投票として受け付ける手段でであることを特徴とする。
請求項３の発明は、前記カラオケ装置は、カラオケ曲の演奏が終了すると、その旨を前記集計センタ装置に通知する手段を備え、
前記カラオケ装置の表示手段は、前記カラオケ曲の演奏が終了すると前記取得したユニークな電話番号を表示する手段であり、
前記集計センタ装置の受付手段は、前記カラオケ曲の演奏が終了した後の一定時間に、そのカラオケ曲に割り当てられた電話番号の呼び出しに応答後に受け付ける得点入力を電話による採点投票として受け付ける手段であることを特徴とする。
【０００７】
この発明では、カラオケ曲の歌唱を、カラオケ装置に内蔵されているいわゆる採点機能で採点するのみならず、歌唱者以外の顧客（聴衆）による採点評価を受け付けて、この採点機能の点数および外部評価を総合評価して最終評価を割り出す。集計センタは、各カラオケ装置の各カラオケ曲の演奏毎にユニークな電話番号を割り当て、そのカラオケ曲の演奏スタート時にその電話番号を通知する。カラオケ装置は、その電話番号を表示手段に表示して聴衆に知らせる。聴衆は、その電話番号に電話を掛けて採点の投票を行う。電話採点投票の受け付けは、カラオケ曲の演奏中（歌唱中）に行ってもよく、カラオケ曲の演奏（歌唱）が終了したのちに行ってもよい。評価の入力は、聴衆全員が所持する端末として携帯電話機を用いることができる。また、アクセスして点数などの評価を入力するようにしてもよく、単にアクセスするのみでポイントが加算され、アクセスの回数で評価が決定されるようにしてもよい。また、電話番号は、各カラオケ装置のカラオケ曲の演奏の１曲毎に異なるものが割り当てられるため、他のカラオケ装置からの電話採点投票や過去の曲への電話採点投票が混入することはない。
【０００８】
【発明の実施の形態】
図１はこの発明の実施形態であるカラオケシステムの概略構成図である。この実施形態は、複数のカラオケボックス２を有するカラオケ店舗１で携帯電話機８を用いた採点サービスを行う場合の例を示している。カラオケボックス２において、カラオケ装置１０が歌唱者のリクエストに応じてカラオケ曲を演奏する。歌唱者はこのカラオケ曲の演奏に合わせてマイク１２に向かって歌唱し、カラオケ装置１０は、このカラオケ曲の演奏音と歌唱者の歌唱音声とミキシングしてスピーカ１３から出力する。カラオケ装置１０は、このカラオケ曲の演奏と並行して歌唱者の歌唱を採点する。この採点機能は、マイク１２から入力された歌唱音声信号の周波数および音量を分析抽出し、これをカラオケ曲の曲データに一緒に記憶されているリファレンスデータと比較してその一致度に応じて点数を付ける機能である。リファレンスデータとしては、例えばカラオケ曲のガイドメロディトラックのデータが用いられる。
【０００９】
さらに、このカラオケ装置の採点機能と並行して、このカラオケボックス２で歌唱者と一緒に歌唱を聴いている歌唱者以外の顧客（聴衆）が所持している携帯電話機８からの採点投票を受け付ける。この携帯電話機８による採点機能は、たとえばテレゴング（商標）のような外部の集計サービスを用いて実現する方式、カラオケ装置１０および携帯電話機８にＢｌｕｅｔｏｏｔｈ通信機能を内蔵し、携帯電話機８とカラオケ装置１０が直接通信するようにする方式などがある。
【００１０】
まず、外部の集計サービスを用いたシステムについて説明する。
各カラオケボックス２に設置されているカラオケ装置１０は店舗内のＬＡＮ４を介して管理装置３に接続されている。管理装置３は、各カラオケボックス２のカラオケ装置１０に対して曲データをダウンロードしたり、カラオケ装置１０の運用状況を管理したりする装置であり、各カラオケ装置１０と公衆電話回線５またはＷＡＮとの接続を中継する機能も備えている。
【００１１】
管理装置３は公衆電話回線（またはＷＡＮ）５を介して携帯電話機８による電話採点投票を集計する集計サービスを担当する集計センタ６と接続されている。携帯電話機８からの採点投票は、携帯電話ネットワーク７を介して集計センタ６に伝達される。
【００１２】
集計センタ６は、各カラオケ装置１０の各カラオケ曲の演奏毎にユニークな電話番号を割り当て、そのカラオケ曲の演奏スタート時にその電話番号を通知する。カラオケ装置１０は、その電話番号をモニタ１１に表示して聴衆に知らせる。聴衆は、その電話番号に電話を掛けて採点の投票を行う。電話採点投票の受け付けは、カラオケ曲の演奏中（歌唱中）に行ってもよく、カラオケ曲の演奏（歌唱）が終了したのちに行ってもよい。
【００１３】
図２（Ａ）を参照して、電話採点投票をカラオケ曲の演奏中に行う場合のカラオケシステムの動作を説明する。
カラオケ曲の演奏をスタートする前に集計センタ６から電話番号を取得して、これをモニタ１１に表示する。電話番号の取得は、カラオケ装置１０が、集計センタ６に対して、自装置のＩＤおよび演奏するカラオケ曲の曲番号を送信することで取得することができる。また、このとき曲の演奏時間を送信することで電話採点投票の締切り時間を集計センタ６に対して設定することも可能である。こののち、カラオケ曲の演奏をスタートする。歌唱者はこの演奏に合わせて歌唱する。カラオケ装置１０は、自己の採点機能を用いてこの歌唱を採点する。聴衆は、歌唱者の歌唱を聴いて、良いと思ったときにいつでも何度でも上記電話番号に電話をかける。この発呼が、携帯電話ネットワーク７を介して集計センタ６に伝達され、集計センタ６はこの呼び出しカウントアップする。集計センタ６は呼び出しに対して応答してもよく、応答しないで呼び出しがあったことのみでカウントアップするようにしてもよい。この方式の場合、聴衆が歌唱が良いと思ったときに電話を掛けるのであるから、電話を掛ける行為そのものが電話採点投票となり、集計センタ６に電話が掛かってきた回数、すなわち呼び出しの回数が聴衆による電話採点結果（外部評価）となる。カラオケ曲の演奏が終了したとき、この電話採点投票を締切り、それまでの呼び出しの回数を電話採点結果としてカラオケ装置１０に送信する。
【００１４】
カラオケ装置１０では、カラオケ曲の演奏が終了したとき、自己の採点機能で歌唱を採点した採点結果と、集計センタ６から受け取った電話採点結果とを集計して総合的な得点を割り出し、これをモニタ１１に表示する。
【００１５】
なお、上記のように電話番号は、各カラオケ装置１０のカラオケ曲の演奏の１曲毎に異なるものが割り当てられるため、他のカラオケ装置からの電話採点投票や過去の曲への電話採点投票が混入することはない。
【００１６】
次に、図２（Ｂ）を参照して電話採点投票の受け付けをカラオケ曲の演奏の終了後に行う場合のカラオケシステムの動作を説明する。
【００１７】
カラオケ曲の演奏をスタートする前に集計センタ６から電話番号を取得する。この電話番号を表示しないで、カラオケ曲の演奏をスタートする。電話番号を取得する方法は上記と同じである。歌唱者はこの演奏に合わせて歌唱する。カラオケ装置１０は、この歌唱を自己の採点機能を用いて採点する。カラオケ曲の演奏が終了したとき、カラオケ装置１０は、上記取得した電話番号をモニタ１１に表示し、一定時間の電話採点投票を受け付ける。このときカラオケ装置１０は、演奏が終了した旨を集計センタ６に通知し、集計センタ６はこの通知から一定時間（たとえば２分間）電話採点投票を受け付ける。
【００１８】
この電話採点投票においては、集計センタ６は、携帯電話機８からの呼び出しに応答し、得点の入力を受け付ける。電話を掛けた聴衆は、集計センタ６が応答したとき携帯電話機８を操作して点数を入力する。この点数は例えば１００点満点の何点であるかを入力するようにする。集計センタ６は、電話採点投票の受け付け時間が終了したとき、受け付けた電話採点投票の点数を集計してカラオケ装置１０に送信する。この集計した電話採点結果は、受け付けた点数の平均点、または、受け付けた点数の合計および投票数などとすればよい。
【００１９】
カラオケ装置１０では、自己の採点機能で歌唱を採点した採点結果と、集計センタ６から受け取った電話採点結果とを集計して総合的な得点を割り出し、これをモニタ１１に表示する。
【００２０】
なおこの方式においても、上記のように電話番号は、各カラオケ装置１０のカラオケ曲の演奏の１曲毎に異なるものが割り当てられるため、他のカラオケ装置からの電話採点投票や過去の曲への電話採点投票が混入することはない。
【００２１】
図１では、携帯ネットワーク７と集計センタ６が公衆電話回線５を介して接続されているが、これを直接接続するようにしてもよい。また、集計センタ６とカラオケ店舗１の管理装置３とが公衆電話回線５を介して接続されているが、これをインターネットを介して接続するようにしてもよい。
【００２２】
図３は、上記の場合におけるカラオケ装置の動作を示すフローチャートである。まず、カラオケ曲のリクエストがあると（ｓ１）、このカラオケ曲に対応する電話番号を取得したのち（ｓ２）、このカラオケ曲を演奏する（ｓ３）。同時にマイク１２から入力された歌唱音声を取り込む。この歌唱音声の周波数および音量を分析抽出して採点機能を用いて採点する（ｓ４）。また、さらに歌唱者以外の聴衆による携帯電話機８を用いた電話採点投票を可能にする（ｓ５）。
【００２３】
電話採点投票が締め切られたのち、その電話採点投票の結果を受け取ると、この電話投票の結果と上記周波数と音量に基づく採点結果とを参照して総合評価して点数を割り出し（ｓ６）、これをモニタ１１に表示する（ｓ７）。
【００２４】
このように上記の実施形態では、外部の集計センタ６を用いて、聴衆による電話採点投票を受け付けるようにしているが、次にカラオケ装置１０および携帯電話機８にＢｌｕｅｔｏｏｔｈ通信機能を設けて直接通信する実施形態について説明する。この場合、カラオケ装置１０にはＢｌｕｅｔｏｏｔｈインタフェース１４（図１参照）が設けられる。
【００２５】
図４は、Ｂｌｕｅｔｏｏｔｈ通信機能を備えた携帯電話機の概略ブロック図である。
電話機能部２１は、ベースバンド処理部、ＲＦ部、フロントエンド部を含み、デジタル携帯電話の信号処理および通信機能を処理する回路部である。また、ＭＰＵ２０は、この携帯電話機の機能を制御するプロセッサである。またＢｌｕｅｔｏｏｔｈ通信部２２は、いわゆるＢｌｕｅｔｏｏｔｈ無線インタフェースの通信を処理する回路部である。ＭＰＵ２０には、この電話機能部２１、Ｂｌｕｅｔｏｏｔｈ通信部２２のほか、液晶表示器を備えたディスプレイ２３およびキーボード２４が接続されている。
【００２６】
この携帯電話機は、通常モードでは一般の携帯電話機として機能するが、所定のモード変更操作を行うと、利用者の操作内容がＢｌｕｅｔｏｏｔｈを介してカラオケ装置１０に送信されるようになる。
【００２７】
Ｂｌｕｅｔｏｏｔｈを用いてカラオケ装置１０と携帯電話機８が直接通信する場合でも電話採点投票の方式は、上記外部の集計センタを介して行う場合とほぼ同様である。すなわち、カラオケ演奏中（歌唱中）に、電話採点投票を受け付ける場合には、聴衆は、歌唱が良いと思う場面があれば、その都度Ｂｌｕｅｔｏｏｔｈ経由でカラオケ装置１０にアクセスする。このアクセスは、携帯電話機８をＢｌｕｅｔｏｏｔｈモードにしておき、聴衆が携帯電話機８のいずれかのキーを押すと、携帯電話機８は自動的にカラオケ装置１０にアクセスする。カラオケ装置１０は、このアクセスの回数をカウントし、アクセス回数が多いほど評価が高いとする。また、カラオケ演奏（歌唱）の終了後に、電話採点投票を受け付ける場合には、カラオケ曲の演奏が終了したのちに、電話採点投票を受け付け、聴衆が携帯電話機８のキーボードを用いて点数を入力し、これをＢｌｕｅｔｏｏｔｈ経由でカラオケ装置１０に送信する。カラオケ装置１０は送られてきた点数の合計または平均を電話投票結果として評価に用いればよい。
【００２８】
図５は、カラオケ装置１０の電話採点受付処理動作を示すフローチャートである。同図（Ａ）はカラオケ曲の演奏中の電話採点投票を受け付ける場合の処理動作を示している。したがって、この処理動作は、カラオケ曲の演奏中、自己の採点機能による歌唱の採点中に並行して処理される。カラオケ曲の演奏がスタートしたとき、電話採点投票の受け付けを開始する（ｓ１１）。このとき電話採点投票を受け付けを開始した旨をモニタ１１に表示するようにしてもよい。この状態で電話採点投票があるか（ｓ１２）、曲が終了する（ｓ１３）まで、待機しており、電話採点投票があった場合、すなわち聴衆の携帯電話機８からＢｌｕｅｔｏｏｔｈ経由でアクセスがあった場合には（ｓ１２）、このアクセス回数をポイントとして加算する（ｓ１４）。また、カラオケ曲の演奏が終了した場合には（ｓ１３）、電話採点投票の受け付けを終了し（ｓ１５）、ｓ１４でカウントしたポイントを点数集計プログラム（図３のｓ６参照）に渡して（ｓ１６）動作を終了する。
【００２９】
また、図５（Ｂ）はカラオケ曲の演奏が終了した後に電話採点投票を受け付ける場合の処理動作を示している。この動作はカラオケ曲の演奏が終了したときにスタートする。カラオケ曲の演奏が終了したとき、電話採点投票の受け付けを開始する（ｓ２１）。このとき電話採点投票を受け付けを開始した旨をモニタ１１に表示するようにしてもよい。この状態で電話採点投票があるか（ｓ２２）、一定時間（１分程度）が経過する（ｓ２３）まで待機しており、電話採点投票があった場合、すなわち聴衆の携帯電話機８からＢｌｕｅｔｏｏｔｈ経由で点数の入力があった場合には（ｓ２２）、この点数およびアクセスをカウントする（ｓ２４）。また、上記一定時間が経過した場合には（ｓ２３）、電話採点投票の受け付けを終了し（ｓ２５）、ｓ２４でカウントした点数およびアクセス数を点数集計プログラム（図３のｓ６参照）に渡して（ｓ２６）動作を終了する。
【００３０】
上記電話採点投票の処理動作において、カラオケ曲の演奏が終了したのちに電話採点投票を受け付ける場合には、聴衆がアクセスしたのちに点数を入力させるようにしているが、評価に応じて異なるルートでアクセスさせるようにしてもよい。たとえば、歌唱に対して、下手・普通・上手の３つの評価を設定し、それぞれに対して異なる電話番号（集計センタを用いる場合）、または、アクセスコード（Ｂｌｕｅｔｏｏｔｈで直接通信する場合）を設定し、携帯電話機８からどのルートでアクセスがあったかに応じてポイントを加算するようにすればよい。
【００３１】
【発明の効果】
以上のようにこの発明によれば、周波数や音量などの物理的な要素のみの評価でなく、人が聴いて良いと思ったか否かの評価をカラオケ歌唱の採点に導入することができる。また、聴衆が採点に参加することができる。
【図面の簡単な説明】
【図１】この発明の実施形態であるカラオケシステムの概略構成図
【図２】同カラオケシステムの採点の流れを時系列に示す図
【図３】同カラオケシステムのカラオケ装置の採点動作を示すフローチャート
【図４】同カラオケシステムの携帯電話機のブロック図
【図５】前記カラオケ装置の電話採点投票受付動作を示すフローチャート
【符号の説明】
１…カラオケ店舗、２…カラオケボックス、３…管理装置、４…ＬＡＮ、５…公衆電話回線、６…集計センタ、７…携帯電話ネットワーク、
１０…カラオケ装置、１１…モニタ、１２…マイク、１３…スピーカ
２０…ＭＰＵ、２１…電話機能部、２２…Ｂｌｕｅｔｏｏｔｈ通信部、２３…ディスプレイ、２４…キーボード
【図１】
0004126919.tif 000002
【図２】
0004126919.tif 000003
【図３】
0004126919.tif 000004
【図４】
0004126919.tif 000005
【図５】
0004126919.tif 000006